(57)【要約】【課題】モルタルが充填された被処理面にコンクリート型枠跡の斑点模様を形成して美感を向上させ得ることができるとともに、複数回に亘って使用可能として斑点模様形成時の作業能率を改善させることができるコンクリート型枠跡の斑点模様形成具及びそれを用いた斑点模様形成方法を提供する。【解決手段】モルタルが充填された被処理面にコンクリート型枠跡の模様である斑点模様を形成するためのコンクリート型枠跡の斑点模様形成具Ｃにおいて、羊毛を所定形状に形成して成り、コンクリート型枠跡の模様色と略同一色の調合樹脂液を含浸可能な塗布部８と、該塗布部８の裏面に取り付けられたベース部９とを有したものである。【選択図】　図５
2004097894.tif 000002
【特許請求の範囲】
【請求項１】
モルタルが充填された被処理面にコンクリート型枠跡の模様である斑点模様を形成するためのコンクリート型枠跡の斑点模様形成具において、
羊毛を所定形状に形成して成り、コンクリート型枠跡の模様色と略同一色の調合樹脂液を含浸可能な塗布部と、
該塗布部の裏面に取り付けられたベース部と、
を有したことを特徴とするコンクリート型枠跡の斑点模様形成具。
【請求項２】
前記塗布部は、羊毛を所定形状に圧縮形成してフェルト状にしたものから成ることを特徴とする請求項１記載のコンクリート型枠跡の斑点模様形成具。
【請求項３】
前記ベース部は、発泡プラスチックから成ることを特徴とする請求項１又は請求項２記載のコンクリート型枠跡の斑点模様形成具。
【請求項４】
前記塗布部にコンクリート型枠跡の模様色と略同色に調合した調合樹脂液を含浸させ、前記被処理面に反復押圧することによりコンクリート型枠跡の斑点模様を形成することを特徴とする請求項１〜請求項３のいずれか１つに記載のコンクリート型枠跡の斑点模様形成具を用いた斑点模様形成方法。
【請求項５】
コンクリート型枠跡の斑点模様を形成した後の被処理面に、透明の防水材を塗布して被覆することを特徴とする請求項４記載の斑点模様形成方法。
【発明の詳細な説明】
【０００１】
【発明の属する技術分野】
本発明は、建築物、橋、堤防等におけるコンクリート躯体の表面或いは軽量気泡コンクリート（ＡＬＣ）板、押出成形板、鉄板等から成る建築物の壁の表面に、打放しコンクリートの表面に発生する型枠跡に似た斑点模様を形成するコンクリート型枠跡の斑点模様形成具及びそれを用いた斑点模様形成方法に関するものである。
【０００２】
【従来の技術】
一般に、型枠を使用して形成したコンクリート、所謂打放しコンクリートの表面は、型枠の模様が転写される正常面部と、ジャンカ（巣穴）部、コールドジョイント部、型枠の段違い部及びメジ歪部等の欠損面部とが混在する。かかる欠損面部を修復処理するには、打放しコンクリートに使用されるモルタルと同資材のモルタルを当該欠損面部に充填し、その表面をコテ等にて平滑にすることによって正常面部と略同一平面としていた。
【０００３】
然るに、上記の如き修復処理により、被処理面を周囲の正常面部と略同色とすることはできるものの型枠模様がないため、打放しコンクリート全体として一体感を得ることができなかった。そこで、本出願人は、例えば特許文献１により被処理面に型枠模様を形成し得るコンクリート型枠跡の斑点模様形成具を提案した。
【０００４】
かかるコンクリート型枠跡の斑点模様形成具は、ベース上面にフェルトを形成して成り、該フェルトの表面にコンクリート型枠跡の模様色と略同色に調合した調合樹脂液を含浸させ、被処理面に対し反復押圧することによりコンクリート型枠跡の斑点模様を形成するものであった。
【０００５】
【特許文献１】
特開２０００−１４０７５３号公報
【０００６】
【発明が解決しようとする課題】
しかしながら、上記従来のコンクリート型枠跡の斑点模様形成具においては、被処理面にコンクリート型枠跡の斑点模様を形成し得るので修復処理後における打放しコンクリート全体としての一体感を得ることができるものの、例えばナイロン等の合成繊維を圧縮形成して成るフェルトを用いた場合、斑点模様形成具の寿命が極めて短く、作業性が悪いという問題があった。
【０００７】
即ち、合成繊維から成るフェルトに調合樹脂液を含浸させて斑点模様を形成した場合、作業終了後にフェルトを水洗いしても調合樹脂液が残留してしまい、そのまま乾燥固化して次の作業時には使用できないのである。従って、作業毎にフェルトの交換を必要とするため、当該斑点模様形成具の寿命が短く、作業性が悪いという不具合があった。
【０００８】
本発明は、このような事情に鑑みてなされたもので、モルタルが充填された被処理面にコンクリート型枠跡の斑点模様を形成して美感を向上させ得ることができるとともに、複数回に亘って使用可能として斑点模様形成時の作業能率を改善させることができるコンクリート型枠跡の斑点模様形成具及びそれを用いた斑点模様形成方法を提供することにある。
【０００９】
【課題を解決するための手段】
請求項１記載の発明は、モルタルが充填された被処理面にコンクリート型枠跡の模様である斑点模様を形成するためのコンクリート型枠跡の斑点模様形成具において、羊毛を所定形状に形成して成り、コンクリート型枠跡の模様色と略同一色の調合樹脂液を含浸可能な塗布部と、該塗布部の裏面に取り付けられたベース部とを有したことを特徴とする。
【００１０】
請求項２記載の発明は、請求項１記載のコンクリート型枠跡の斑点模様形成具において、前記塗布部は、羊毛を所定形状に圧縮形成してフェルト状にしたものから成ることを特徴とする。
【００１１】
請求項３記載の発明は、請求項１又は請求項２記載のコンクリート型枠跡の斑点模様形成具において、前記ベース部は、発泡プラスチックから成ることを特徴とする。
【００１２】
請求項４記載の発明は、請求項１〜請求項３のいずれか１つに記載のコンクリート型枠跡の斑点模様形成具を用いた斑点模様形成方法において、前記塗布部にコンクリート型枠跡の模様色と略同色に調合した調合樹脂液を含浸させ、前記被処理面に反復押圧することによりコンクリート型枠跡の斑点模様を形成することを特徴とする。
【００１３】
請求項５記載の発明は、請求項４記載の斑点模様形成方法において、コンクリート型枠跡の斑点模様を形成した後の被処理面に、透明の防水材を塗布して被覆することを特徴とする。
【００１４】
【発明の実施の形態】
以下、本発明の実施形態について図面を参照しながら具体的に説明する。
本実施形態に係るコンクリート型枠跡の斑点模様形成具は、打放しコンクリートの表面に発生する型枠跡に似た斑点模様を形成するためのもので、以下に示す斑点模様形成方法において適用される。
【００１５】
まず、図１に示すように、型枠を使用して形成されたコンクリートの躯体１の表面（被処理面）１ａを洗浄し、該表面１ａに発生したジャンカ（巣穴）部、コールドジョイント部、型枠の段違い部、メジ歪部等の欠損部２に下地調整材４を充填して表面１ａと略同一面にする。尚、同図中符号３は、表面１ａに発生したピンホールを示している。
【００１６】
また、上記下地調整材４は、液状のアクリル樹脂系、酢酸ビニール共重合樹脂系、アクリル・スチレン共重合樹脂系等のポリマーディスパージョンに所定色の顔料を混入し、これにセメント、砂、けい砂等の骨材を混入して上記躯体１の表面１ａと略同色に調合した比較的高粘度の調合樹脂モルタルからなり、本例ではＮＹ−調合樹脂モルタル（ニチエー吉田株式会社の商品名）からなる。
【００１７】
次いで、図２に示すように、上記下地調整材４の上面を含む躯体１の表面１ａ全面に上地調整材をコテ等により塗布して所定の厚さの上地層５を形成し、表面１ａのピンホール３および上記下地調整材４の上面を被覆する。上記上地調整材、つまり上地層５は、上記下地調整材４と同様に、液状のアクリル樹脂系、酢酸ビニール共重合樹脂系、アクリル・スチレン共重合樹脂系等のポリマーディスパージョンに所定色の顔料を混入し、これにセメント、砂、けい砂等の骨材を混入して躯体１の表面１ａと略同色に調合した比較的低粘度の調合樹脂モルタルから成る。
【００１８】
尚、かかる上地層５を構成する調合樹脂モルタルとして、ＮＹ−調合樹脂・生地調整材（ニチエー吉田株式会社の商品名）を用いるのが好ましい。また、上記調合樹脂モルタルは、顔料にて躯体１の表面１ａと略同色となるようにしているが、これに代えて、白セメントとポルトランドセメントとの比率を設定することにより躯体１の表面１ａと略同色となるようにしてもよい。
【００１９】
次いで、図３に示すように、上地層５が硬化した後、斑点模様形成具Ｃを使用して上記上地層５の表面に、型枠跡に似せた斑点模様６を形成する。かかる斑点模様形成具Ｃは、図５及び図６に示すように、羊毛を圧縮形成してフェルト状にしたものから成る塗布部８と、該塗布部８の裏面に取り付けられたベース部９とから主に構成されている。
【００２０】
ここで、本実施形態においては、上記の如く塗布部８が羊毛を圧縮形成したものから成るため、以下の如き特徴を奏する。即ち、羊毛は、吸水性（吸湿性）及び排水性（撥水性）の両方に富んでいることが知られており、かかる性質により、斑点模様形成作業後における斑点模様形成具Ｃの水洗い時、より多くの水を含みつつ、その水と一緒に含浸された調合樹脂液を良好に排出することができるのである。
【００２１】
微視的に観察すると、羊毛は、その繊維の表面にうろこ状のスケール（表皮）が形成されており、かかるスケールは、エピキューティクルという極めて薄い膜で覆われている。このエピキューティクルにより水分をはじく性質が得られるのである。一方、その内側のエンドキューティクル、エキソキューティクルは親水性の膜とされており、これにより水分を吸収する性質が得られるのである。
【００２２】
然るに、上記の如き羊毛から成る塗布部８にコンクリート躯体の表面（被処理面周囲の表面）における斑点模様と略同一色に調合した調合樹脂液を含浸させて斑点模様６を形成した後、水洗いを行なうと、当該塗布部８の吸水性及び排水性が良好故、含浸した調合樹脂液を簡単に、且つ、確実に洗い流すことができ、次回の作業時にも同じ斑点模様形成具Ｃを使用することができる。従って、複数の斑点模様形成作業に亘って同一の斑点模様形成具Ｃを使用することができ、合成繊維等から成るフェルトを用いた従来のものに比べ、作業能率を改善することができる。
【００２３】
また、塗布部８は、羊毛を所定形状に圧縮形成してフェルト状にしたものから成るため、ベース部９の表面上への取り付けが容易で、斑点模様形成具Ｃの製造コストを抑制することができるとともに、被処理面上に、より自然な斑点模様を形成することができる。尚、本実施形態においては、羊毛を圧縮形成してフェルト状にしたものを塗布部８としているが、フェルト状にしないものをベース部９上に取り付けるようにして斑点模様形成具としてもよい。
【００２４】
更に、塗布部８の裏面には発泡プラスチックから成るベース部９が取り付けられており、かかるベース部９を作業者が把持し得るよう構成されている。即ち、発泡プラスチックを矩形状に成形してベース部９を作成し、これをベースとして羊毛から成る塗布部８を固着させるのである。このように、ベース部９が発泡プラスチックで構成されているため、斑点模様形成具Ｃを軽量化することができるが、他の材質にてベース部を構成してもよい。
【００２５】
上述の如き斑点模様形成具Ｃにて被処理面上に斑点模様６を形成するには、塗布部８の表面にコンクリート躯体の表面の斑点模様と略同色に調合した調合樹脂液を含浸させ、ベース部９を把持しつつ当該塗布部８の表面を上記上地層５上面に反復押圧する。このような作業により、多様化するコンクリート躯体に対応した色彩の模様を容易に形成することができ、被処理面における表面全面に規則性を持った斑点模様を形成することができる。
【００２６】
ここで、本実施形態に係る斑点模様形成具Ｃのベース部９が、既述のように、発泡プラスチックから成り、軽量化が図られているので、反復押圧作業を少労力にて行なうことができ、従って、被処理面上に斑点模様を容易に形成することができる。
【００２７】
次いで、図４に示すように、上地層５の表面に透明の防水材（商品名ＮＹ８０８０）を塗布してトップコート７を形成し、該トップコート７により上記上地層５の表面全面、つまり模様６の全面を被覆し、これにより、打放しコンクリートの型枠跡の模様を有する製品壁Ａを得る。このように、トップコート７を形成することにより、外部からの水の浸入等がなくなり、劣化、汚染及び変色等を防止し得て耐久性を向上させることができる。
【００２８】
図７および図８は他の実施例を示す。同図において、Ｂは多数の長方形状のＡＬＣパネル１０を突き合わせて形成した外壁であり、以下の如く形成されている。即ち、各ＡＬＣパネル１０の端部を段状に凹ませて突き合わせ部、即ち継ぎ目部に厚さ方向に凹む溝１０ａを形成し、該溝１０ａの底部にバックアップ材１１およびポリウレタン系の弾性シーリング材１２を充填する。
【００２９】
かかるバックアップ材１１は、弾性樹脂を紐状に形成して溝１０ａの底部の間隙部に介在させる。次いで上記弾性シーリング材１２の上面に弾性モルタル１３を充填し、その上面を各ＡＬＣパネル１０の表面よりも若干下方（厚さ方向内方）に湾曲させる。上記弾性モルタル１３は、アクリル酸エステル共重合樹脂系に、セメント、けい砂、石粉等の骨材を所定の割合で混入してなり、本例では商品名ＮＹ−エラステッイクモルタルを使用する。
【００３０】
上記弾性モルタル１３の表面および各ＡＬＣパネル１０の対向縁部の表面にジョイントテープ１４を固着する。このジョイントテープ１４は、張力および可撓性に富んだ繊維材により幅５０〜１００ｍｍの帯び状に編成してなり、その幅方向両端部の１０ｍｍ程度を上記ＡＬＣパネル１０の対向縁部の表面に固着し、また、その幅方向中間部を上記弾性モルタル１３の表面に沿って下方に湾曲させて固着する。
【００３１】
次いで、上記ジョイントテープ１４の上面および各ＡＬＣパネル１０の表面全面に浸透性防水材（商品名ＮＹ８０８０シーラー）を塗布した後、前述した弾性モルタル１３と同様の弾性モルタル（樹脂モルタル）に所定の顔料を混入してコンクリート躯体の表面と略同色に調合した比較的高粘度の一次調整材をコテ等により塗布して下地層１５を形成する。
【００３２】
この下地層１５が乾燥した後、該下地層１５の表面に所定の顔料を混入してコンクリート躯体の表面と略同色に調合した低粘度の二次調整材（商品名ＮＹエラスティックフィラー）を刷毛等により塗布して上地層１６を形成し、これにより各ＡＬＣパネル１０を継ぎ目なしに接続した外壁Ｂを形成する。
【００３３】
次いで、先の実施形態と同様な斑点模様形成具Ｃを使用して、上記外壁Ｂの表面に斑点模様６を形成した後、上地層１６の表面に透明の防水材（商品名ＮＹ８０８０）を塗布してトップコート１７を形成し、該トップコート１７により上記上地層１６の表面全面、つまり斑点模様６の全面を被覆する。
【００３４】
上記実施例によれば、被処理面を被覆する上地層５（１６）を、樹脂モルタルに顔料を混入した調整材により形成するようにしたので、型成形の条件によって多様化するコンクリート躯体の色彩に対して容易に色合わせすることができるとともに、被処理面の基体がコンクリート、軽量気泡コンクリート（ＡＣＬ）、鉄板等、熱膨張率の異なるものであっても、これらの気候の変動による熱変形に対して円滑に追随し、剥離しなくなる。
【００３５】
また、斑点模様形成具Ｃにコンクリート躯体と略同色に調合した調合樹脂液を含浸させ、この斑点模様形成具Ｃにより上記上地層５（１６）の表面に所定のコンクリート型枠跡の斑点模様６を形成するようにしたので、上記多様化するコンクリート躯体の色彩に対応した色彩の模様を容易に形成することができ、表面全面に規則性を持った斑点模様６が形成され、商品価値を高めることができる。
【００３６】
以上、本実施形態について説明したが、本発明はこれに限定されるものではなく、例えばベース部を円形等矩形以外の形状とし、このベース部上に羊毛から成る塗布部を取り付けて斑点模様形成具を構成するようにしてもよい。また、斑点模様形成時に使用される調合樹脂液は、上記のものに限定されず、コンクリート躯体の斑点模様と略同一の色彩を有する他の調合樹脂液としてもよい。
【００３７】
【発明の効果】
請求項１の発明によれば、塗布部に調合樹脂液を含浸させて斑点模様を形成するので、被処理面を含む躯体の美感を向上させ得ることができるとともに、当該塗布部が羊毛から成るので、斑点模様形成終了時において調合樹脂液を簡単に水で洗い流すことができ、コンクリート型枠跡の斑点模様形成具を複数回に亘って使用可能として斑点模様形成時の作業能率を改善させることができる。
【００３８】
請求項２の発明によれば、羊毛を所定形状に圧縮形成してフェルト状にしたものを塗布部としているので、ベース部の表面上への取り付けが容易で、製造コストを抑制することができるとともに、より自然に斑点模様を形成することができる。
【００３９】
請求項３の発明によれば、ベース部が発泡プラスチックから成るので、斑点模様形成具を軽量化することができ、反復押圧作業が少労力で行える。従って、請求項１又は請求項２の効果に加え、被処理面上に斑点模様を容易に形成することができる。
【００４０】
請求項４の発明によれば、多様化するコンクリート躯体に対応した色彩の模様を容易に形成することができ、被処理面における表面全面に規則性を持った斑点模様を形成することができる。
【００４１】
請求項５の発明によれば、コンクリート型枠跡の斑点模様を形成した後の被処理面に、透明の防水材を塗布して被覆したので、外部からの水の浸入等がなくなり、劣化、汚染及び変色等を防止し得て耐久性を向上させることができる。
【図面の簡単な説明】
【図１】本発明の実施形態に係るコンクリート型枠跡の斑点模様形成具が適用されるコンクリート躯体を示す断面模式図
【図２】同コンクリート躯体の表面に上地層が形成された状態を示す断面模式図
【図３】同コンクリート躯体の上地層上に斑点模様形成具を反復押圧して斑点模様を形成した状態を示す断面模式図
【図４】同コンクリート躯体の被処理面上にトップコートを形成した状態を示す断面模式図
【図５】本発明の実施形態に係るコンクリート型枠跡の斑点模様形成具を示す斜視図
【図６】図５におけるＶＩ−ＶＩ線断面図
【図７】本発明の実施形態に係るコンクリート型枠跡の斑点模様形成具が適用されるＡＬＣパネルを示す断面模式図
【図８】同ＡＬＣパネルの被処理面上にトップコートを形成した状態を示す断面模式図
【符号の説明】
１…コンクリートの躯体
２…欠損部
３…ピンホール
４…下地調整材
５…上地材
６…斑点模様
７…トップコート
８…塗布部
９…ベース部
１０…ＡＬＣパネル
１１…バックアップ材
１２…弾性シーリング材
１３…弾性モルタル
１４…ジョイントテープ
１５…下地層
１６…上地層
１７…トップコート
【図１】
2004097894.tif 000003
【図２】
2004097894.tif 000004
【図３】
2004097894.tif 000005
【図４】
2004097894.tif 000006
【図５】
2004097894.tif 000007
【図６】
2004097894.tif 000008
【図７】
2004097894.tif 000009
【図８】
2004097894.tif 000010